(57)【要約】【課題】ネジロック剤の塗布量を一定にしてネジロック強度を安定化させることができるとともに、塗布の有無や塗布量の確認が容易な塗布作業性の良い魚釣用リールの提供を目的としている。【解決手段】本発明の一実施形態に係る魚釣用リールでは、リール本体１ａに外装部材２０が当て付けられ、ネジ部材２５により外装部材２０がリール本体１ａに対して締結固定される。この締結構造において、リール本体１ａには、ネジ部材２５が螺合するネジ孔３０と、ネジ部材２５の緩みを防止するネジロック剤Ｐが収容される収容凹部３２とが形成される。収容凹部３２は、ネジ孔３０に隣接しており、接続部３３を介してネジ孔３０に接続している。【選択図】図２
2008237143.tif 000002
【特許請求の範囲】
【請求項１】
本体部材に外装部材を当て付けて、ネジ部材により前記外装部材を前記本体部材に対して締結固定する魚釣用リールにおいて、前記ネジ部材の緩みを防止するネジロック剤が収容される収容凹部を、前記ネジ部材が螺合する前記本体部材のネジ孔に連通するように該ネジ孔に隣接して形成したことを特徴とする魚釣用リール。
【請求項２】
前記収容凹部の底面が前記ネジ孔へ向けて傾斜していることを特徴とする請求項１に記載の魚釣用リール。
【発明の詳細な説明】
【技術分野】
【０００１】
本発明は、駆動機構等を収容する本体部材に対して外装部材をネジ止め固定する魚釣用リールに関する。
【背景技術】
【０００２】
一般に、魚釣用リールには、主に、スピニングリールと、両軸受リールと、片軸受リールとがあり、これらはいずれも、釣竿に装着されるリール本体と、リール本体に装着されて釣糸が巻回されるスプールとを備えている。
【０００３】
また、例えばスピニングリールにおいては、特許文献１に開示されるように、巻き取り駆動機構やスプール前後往復動機構等を収容するリール本体（本体部材）の開口を蓋部材（外装部材）によって閉塞し、この蓋部材を複数のネジ部材で締結固定している。
【特許文献１】実開昭５９−９５８７９号公報
【発明の開示】
【発明が解決しようとする課題】
【０００４】
ところで、リール本体に対して蓋部材をネジ止め固定する前述したような魚釣用リールでは、車中の運搬時や釣場の移動時および実釣時の巻き取り操作時等において生じる振動や変形等の影響により、締結固定したネジ部材が緩んでしまうことが考えられる。そのため、従来においては、製造段階のリール組み立て時に、リール本体のネジ孔や、ネジ部材のネジ形成部位に対して、液体の嫌気性封着剤等から成るネジロック剤を塗布し、このネジロック剤によりネジ部材の緩みを防止するようにしている。
【０００５】
しかしながら、このようなネジロック剤の塗布作業が、例えば製造ラインにおいて所定の容器内からネジロック剤をネジ部材のネジ形成部位に対して直接に塗布することにより行なわれる場合には、塗布量に過不足が生じ易く、塗布量を一定にすることが難しい。そのため、ネジロック強度が安定しない。また、このような塗布形態は作業性も悪い。
【０００６】
一方、ネジロック剤の塗布作業が、ネジロック剤をリール本体のネジ孔の内部に注入することにより行なわれる場合には、注入量の確認および注入の有無の目視での判別が難しく、ネジ部材のネジ形成部位への塗布量を安定化させることが更に困難になる。
【０００７】
本発明は、前記事情に着目してなされたものであり、その目的とするところは、ネジロック剤の塗布量を一定にしてネジロック強度を安定化させることができるとともに、塗布の有無や塗布量の確認が容易な塗布作業性の良い魚釣用リールを提供することにある。
【課題を解決するための手段】
【０００８】
前記課題を解決するために、本発明は、本体部材に外装部材を当て付けて、ネジ部材により前記外装部材を前記本体部材に対して締結固定する魚釣用リールにおいて、前記ネジ部材の緩みを防止するネジロック剤が収容される収容凹部を、前記ネジ部材が螺合する前記本体部材のネジ孔に連通するように該ネジ孔に隣接して形成したことを特徴とする。
【０００９】
なお、上記構成において、１つのネジ孔に対する収容凹部の配設数は任意である。また、ネジ孔に対する収容凹部の隣接形態としては、例えば、１つのネジ孔に１または複数の収容凹部が並設される形態、１つのネジ孔の周囲に沿って複数の収容凹部が設けられる形態、１つのネジ孔の周囲に同心的に環状の収容凹部が設けられる形態など、様々な形態が挙げられる。また、ネジロック剤は、例えば嫌気性の封着剤など、ネジ部材の緩みを防止できるものであれば何でも良い。更に、収容凹部の断面形状も、所望量のネジロック剤を収容できさえすれば、どのような形状であっても構わない。
【発明の効果】
【００１０】
本発明によれば、ネジロック剤の塗布量を一定にしてネジロック強度を安定化させることができるとともに、塗布の有無や塗布量の確認が容易な塗布作業性の良い魚釣用リールを提供することができる。
【発明を実施するための最良の形態】
【００１１】
以下、図面を参照しながら、本発明の一実施形態について説明する。
図１には、本発明の一実施形態に係る魚釣用リールとして、魚釣用スピニングリール１が示されている。図示のように、この魚釣用スピニングリール１は、リール本体（本体部材）１ａと、リール本体１ａから延出する脚部１ｂと、脚部１ｂの端部に形成され且つ図示しない釣竿に取り付けられる竿取付部１ｃとを有している。また、リール本体１ａは、ベール６および釣糸案内装置を備えた回転可能なロータ（本体部材）８を有しており、リール本体１ａには、釣糸が巻回されるスプール（本体部材）１０が往復駆動（前後動）可能に装着されている。更に、リール本体１ａ内には、図示しないハンドルの回転操作でロータ８を回転駆動するための巻き取り駆動機構およびスプール１０を前後動させるためのオシレーティング機構などの駆動機構が収容されている。
【００１２】
また、本実施形態において、リールの本体部材を構成するロータ８やリール本体１ａ或いはスプール１０等には、その開口を閉塞するための閉塞部材として或いは化粧板として蓋板２０Ａ，２０Ｂ，２０Ｃ，２０Ｄ・・・（以下、総称して外装部材２０と記す）が取り付けられている。この場合、外装部材２０は、図３に示されるように、リール本体１ａに当て付けられて、ネジ部材２５によりリール本体１ａに対して締結固定されている。
【００１３】
また、このような締結構造において、リール本体１ａには、図２〜図５に示されるように、ネジ部材２５が螺合するネジ孔３０と、ネジ部材２５の緩みを防止するネジロック剤Ｐが収容される収容凹部３２とが形成されている。この場合、収容凹部３２は、ネジ孔３０に隣接しており、接続部（連通部）３３を介してネジ孔３０に接続している。すなわち、収容凹部３２は、ネジ孔３０に並設されており、接続部３３を通じてその内部がネジ孔３０の内部と連通している。
【００１４】
また、収容凹部３２は、断面が円形の上側収容部３２ａと、断面が円形で且つその内径が上側収容部３２ａの内径よりも小さい下側収容部３２ｂとから成っている。また、下側収容部３２ｂの底面はネジ孔３０へ向けて下側に傾斜するテーパ面４０として形成されている。
【００１５】
また、上側収容部３２ａと下側収容部３２ｂとの間には、これらの内径の違いに起因して、段差部３５が形成されている。この段差部３５は、収容凹部３２内に収容されるべきネジロック剤Ｐの量を規定するための塗布量目安ラインとしての機能を果たしている。つまり、本実施形態では、収容凹部３２内に収容されるべきネジロック剤Ｐの量に応じて、上側収容部３２ａおよび下側収容部３２ｂの深さ、したがって、段部３５の位置が設定される。
【００１６】
なお、本実施形態において、収容凹部３２とネジ孔３０とを接続する接続部３３の幅Ｈは、ネジロック剤Ｐの種類やその収容量などに応じて任意に設定される。また、収容凹部３２内に収容されるネジロック剤Ｐとしては、例えば株式会社スリーボンドから市販されている１３０３Ｎ（商品名）や、ヘンケルジャパン株式会社から市販されているＬＯＣＴＩＴＥ２６２（商品名）などの嫌気性封着剤を挙げることができる。
【００１７】
したがって、以上のような締結構造において、外装部材２０をネジ部材２５によってリール本体１ａに対して締結する場合には、まず、図２に示されるように、塗布量目安ラインとしての段差部３５の位置まで下側収容部３２ｂ内にネジロック剤Ｐを注入する。その後、外装部材２０をリール本体１ａの外面に当て付けて、ネジ部材２５を外装部材２０の挿通孔２０ａに挿通するとともに、その挿通したネジ部材２５をリール本体１ａのネジ孔３０に螺合していく（図３参照）と、すなわち、ネジ部材２５の雄ネジ（ネジ形成部位）２５ａをネジ孔３０の雌ネジに捩じ込んでいくと、それに伴って、収容凹部３２内のネジロック剤Ｐがネジ部材２５の雄ネジ２５ａとネジ孔３０の雌ネジとの間に巻き込まれていき、ネジ部材２５（ネジ孔３０）にネジロック剤Ｐが満遍なく略均一に塗布されていく。また、ネジ部材２５による外装部材２０の締結後に収容凹部３２内に残存するネジロック剤Ｐも、経時的にネジ間に浸透（流出）していくようになる。
【００１８】
以上のように、本実施形態では、ネジ部材２５の緩みを防止するネジロック剤Ｐが収容される収容凹部３２を、リール本体１ａのネジ孔３０に連通するようにネジ孔３０に隣接して形成し、それにより、ネジ部材２５の螺合に伴って収容凹部３２内のネジロック剤Ｐがネジ部に巻き込まれるように自然に塗布されるようにしているため、ネジロック剤Ｐの塗布量を一定にしてネジロック強度を安定化させることが可能になる。また、リール本体１ａに外装部材２０を当て付けてネジ部材２５で締め付け固定する前に収容凹部３２内にネジロック剤Ｐを注入しておくだけで良いため、塗布作業も簡単且つ良好である。更に、収容凹部３２内のネジロック剤Ｐの有無を確認するだけで簡単に塗布の有無を確認できるため有益である。
【００１９】
また、本実施形態では、収容凹部３２に塗布量目安ライン（段差部３５）が設けられているため、塗布量の確認が容易であるとともに、使用するネジロック剤Ｐの種類（量）を変更した時など、塗布量の変化に適切に対応できる。
【００２０】
また、本実施形態では、下側収容部３２ｂの底面がネジ孔３０へ向けて下側に傾斜するテーパ面４０として形成されているため、収容凹部３２内のネジロック剤Ｐをネジ孔３０へと円滑に送り出すことができる。また、テーパ面４０の傾斜角度あるいは接続部３３の幅Ｈを変化させることにより、収容凹部３２内からネジ孔３０へのネジロック剤Ｐの流出速度を制御することもできる。
【００２１】
なお、本発明は、前述した実施形態に限定されず、その要旨を逸脱しない範囲で種々変形して実施できることは言うまでもない。例えば、前述した実施形態では、魚釣用スピニングリールのリール本体を本体部材としているが、ロータ８やスプール１０を本体部材として外装部材２０の装着に本発明を適用しても良く、また、両軸受型リール（電動リールも含む）、片軸受型リールなどのフレームを本体部材とし、その側板を外装部材として本発明を適用することもできる。また、前述した実施形態では、１つのネジ孔３０に対して１つの収容凹部３２が対応して設けられているが、１つのネジ孔３０に対する収容凹部３２の配設数は任意である。また、前述した実施形態では、１つのネジ孔３０に１つの収容凹部３２が並設されているが、１つのネジ孔３０に複数の収容凹部３２が並設されていても良く（例えばネジ孔３０の両側に収容凹部３２が設けられるなど）、１つのネジ孔３０の周囲に沿って複数の収容凹部３２が設けられていても良く、あるいは、１つのネジ孔３０の周囲に同心的に環状の収容凹部３２が設けられても良い。また、１つのネジ孔３０に対して複数の収容凹部３２を設ける場合には、各収容凹部３２の深さ及び対応する接続部３３の幅Ｈが互いに異なっていても良く或いは同じであっても良い。また、ネジロック剤Ｐは、嫌気性の封着剤に限らず、ネジ部材の緩みを防止できるものであれば何でも良い。また、収容凹部３２の断面形状も前述した形状に限らない。例えば、図６に示されるように、下側収容部３２ｂのテーパ面４０を排除して（側収容部３２ｂの断面形状が完全な円形；下側収容部３２ｂの底面が水平）収容凹部３２全体の深さを浅くしても良く、あるいは、図７に示されるように、下側収容部３２ｂのテーパ面４０を伴ったまま収容凹部３２全体の深さを浅くして対向して複数形成しても良く、所望量のネジロック剤Ｐを収容できさえすれば、どのような形状であっても構わない。また、前述した実施形態では、上側収容部３２ａと下側収容部３２ｂとの間の段差部３５が塗布量目安ラインとして利用されているが、塗布量目安ラインは段差部に限らず、収容凹部３２の所定の内面部位に明確に視認できる（例えば色付きの）所定のラインが描かれ或いは刻設されていても良く、その形態は任意である。また、塗布量目安ラインの数も任意であり、複数種のネジロック剤Ｐに対応できるように複数の塗布量目安ラインが設けられていても良い。
【図面の簡単な説明】
【００２２】
【図１】本発明の一実施形態に係る魚釣用スピニングリールの側面図である。
【図２】リール本体に対して外装部材を締結する前の段階における当該部位の断面図である。
【図３】リール本体に対して外装部材を締結する前の段階における当該部位の断面図である。
【図４】図３のＡ−Ａ方向から見た平面図である。
【図５】図４のＢ−Ｂ線に沿う断面図である。
【図６】第１の変形例に係る魚釣用スピニングリールの要部断面図である。
【図７】第２の変形例に係る魚釣用スピニングリールの要部断面図である。
【符号の説明】
【００２３】
１  魚釣用スピニングリール
１ａ  リール本体（本体部材）
８  ロータ（本体部材）
１０  スプール（本体部材）
２０  蓋板（外装部材）
２５  ネジ部材
３０  ネジ孔
３２  収容凹部
４０  テーパ面
Ｐ  ネジロック剤
【図１】
2008237143.tif 000003
【図２】
2008237143.tif 000004
【図３】
2008237143.tif 000005
【図４】
2008237143.tif 000006
【図５】
2008237143.tif 000007
【図６】
2008237143.tif 000008
【図７】
2008237143.tif 000009